【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
燃焼排ガス中のダストを集塵する電気集塵機と、
該電気集塵機を通過した排ガス中のＮＯｘ又は／及びダイオキシン類を分解除去すると共に、該排ガス中の金属水銀を酸化する触媒装置と、
該触媒装置を通過した排ガス中の水溶性成分、ダスト及び水分を捕集する湿式集塵機とを備えることを特徴とする燃焼排ガス処理装置。
【請求項２】
前記電気集塵機は、少なくとも１５０℃以上の耐熱性を有することを特徴とする請求項１に記載の燃焼排ガス処理装置。
【請求項３】
前記触媒装置で使用される触媒は、チタン・バナジウム系触媒であることを特徴とする請求項１又は２に記載の燃焼排ガス処理装置。
【請求項４】
前記電気集塵機を通過した排ガスにアンモニアを添加するアンモニア添加装置を備えることを特徴とする請求項１、２又は３に記載の燃焼排ガス処理装置。
【請求項５】
前記触媒装置を通過した排ガスに酸化剤を添加する酸化剤添加装置を備えることを特徴とする請求項１乃至４のいずれかに記載の燃焼排ガス処理装置。
【請求項６】
前記湿式集塵機から排出されたスラリーを固液分離する固液分離機と、
該固液分離機で分離されたろ液中の水銀を吸着する水銀除去装置とを備えることを特徴とする請求項１乃至５のいずれかに記載の燃焼排ガス処理装置。
【請求項７】
前記燃焼排ガスは、セメントキルン排ガスであることを特徴とする請求項１乃至６のいずれかに記載の燃焼排ガス処理装置。
【請求項８】
前記触媒装置は、前記電気集塵機を通過した排ガス中のＮＯｘ又は／及びダイオキシン類を分解除去する第１触媒装置と、
該第１触媒装置を通過した排ガス中に残存するダイオキシン類を分解除去すると共に、金属水銀を酸化する第２触媒装置であることを特徴とする請求項１乃至７のいずれかに記載の燃焼排ガス処理装置。
【請求項９】
前記第１触媒装置を通過した排ガスに塩化水素を添加する塩化水素添加装置を備えることを特徴とする請求項８に記載の燃焼排ガス処理装置。
【請求項１０】
燃焼排ガス中のダストを集塵し、
該ダスト集塵後の排ガス中のＮＯｘ又は／及びダイオキシン類を触媒を用いて分解除去すると共に、該排ガス中の金属水銀を触媒を用いて酸化し、
該金属水銀酸化後の排ガス中の水溶性成分、ダスト及び水分を湿式集塵することを特徴とする燃焼排ガス処理方法。
【請求項１１】
前記ＮＯｘ又は／及びダイオキシン類の分解除去及び前記金属水銀の酸化に用いる触媒は、チタン・バナジウム系触媒であることを特徴とする請求項１０に記載の燃焼排ガス処理方法。
【請求項１２】
前記ダスト集塵後の排ガスにアンモニアを添加し、該排ガス中のＮＯｘを分解除去することを特徴とする請求項１０又は１１に記載の燃焼排ガス処理方法。
【請求項１３】
前記排ガス中のＮＯｘの量が所定値以下に低下しないように、前記アンモニアの添加量を制御することを特徴とする請求項１２に記載の燃焼排ガス処理方法。
【請求項１４】
前記ダイオキシン類の分解除去に伴って発生した塩化水素を利用し、又は前記ＮＯｘ又は／及びダイオキシン類の分解除去後の排ガスに塩化水素を添加し、該排ガス中の金属水銀を酸化することを特徴とする請求項１０乃至１３のいずれかに記載の燃焼排ガス処理方法。
【請求項１５】
前記金属水銀酸化後の排ガスに、前記湿式集塵機出口の水銀濃度に応じて酸化剤を添加することを特徴とする請求項１０乃至１４のいずれかに記載の燃焼排ガス処理方法。
【請求項１６】
前記湿式集塵により得られるスラリーを固液分離し、
該固液分離で分離されたろ液中の水銀を吸着することを特徴とする請求項１０乃至１５のいずれかに記載の燃焼排ガス処理方法。
【請求項１７】
前記燃焼排ガスは、セメントキルン排ガスであることを特徴とする請求項１０乃至１６のいずれかに記載の燃焼排ガス処理方法。
【手続補正２】
【補正対象書類名】明細書
【補正対象項目名】０００９
【補正方法】変更
【補正の内容】
【０００９】
上記目的を達成するため、本発明は、燃焼排ガス処理装置であって、燃焼排ガス中のダストを集塵する電気集塵機と、該電気集塵機を通過した排ガス中のＮＯｘ又は／及びダイオキシン類を分解除去すると共に、該排ガス中の金属水銀を酸化する触媒装置と、該触媒装置を通過した排ガス中の水溶性成分、ダスト及び水分を捕集する湿式集塵機とを備えることを特徴とする。
【手続補正３】
【補正対象書類名】明細書
【補正対象項目名】００１０
【補正方法】変更
【補正の内容】
【００１０】
そして、本発明によれば、電気集塵機を用いることで集塵機の維持費を低く抑えることができる。また、バグフィルタを用いた場合、燃焼排ガスに含まれている塩化水素がバグフィルタのろ過層で吸着されて下流側に行き着かないが、電気集塵機を用いることで、燃焼排ガスに含まれている塩化水素を触媒装置に導入することができるため、触媒装置で排ガス中のＮＯｘ又は／及びダイオキシン類を分解除去するだけでなく、触媒存在下で塩化水素を用いることにより、排ガスに含まれる金属水銀を、捕捉・除去が容易な塩化水銀に変換することができ、水銀、ＮＯｘ、ダイオキシン類等の有害物質を効率よく低コストで除去することができる。
【手続補正４】
【補正対象書類名】明細書
【補正対象項目名】００１２
【補正方法】変更
【補正の内容】
【００１２】
上記燃焼排ガス処理装置において、前記触媒装置で使用される触媒を、チタン・バナジウム系触媒とすることができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
上記燃焼排ガス処理装置に、前記触媒装置を通過した排ガスに酸化剤を添加する酸化剤添加装置を設けることで、触媒装置で酸化しきれなかった金属水銀の酸化を補うことができる。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
上記燃焼排ガス処理装置において、前記燃焼排ガスをセメントキルン排ガスとすることができ、セメントキルン排ガス中の水銀、ＮＯｘ、ダイオキシン類等の有害物質を効率よく低コストで除去することが可能となる。
また、前記触媒装置を、前記電気集塵機を通過した排ガス中のＮＯｘ又は／及びダイオキシン類を分解除去する第１触媒装置と、該第１触媒装置を通過した排ガス中に残存するダイオキシン類を分解除去すると共に、金属水銀を酸化する第２触媒装置とすることができる。
さらに、前記第１触媒装置を通過した排ガスに塩化水素を添加する塩化水素添加装置を設けることができる。これによって、燃焼排ガスに含まれていた塩化水素が脱硝剤のアンモニアと反応して塩化アンモニウムが生成され、第２触媒装置に導入される塩化水素の量が充分でない場合に容易に対応することができる。
【手続補正９】
【補正対象書類名】明細書
【補正対象項目名】００１９
【補正方法】変更
【補正の内容】
【００１９】
また、本発明は、燃焼排ガス処理方法であって、燃焼排ガス中のダストを集塵し、該ダスト集塵後の排ガス中のＮＯｘ又は／及びダイオキシン類を触媒を用いて分解除去すると共に、該排ガス中の金属水銀を触媒を用いて酸化し、該金属水銀酸化後の排ガス中の水溶性成分、ダスト及び水分を湿式集塵することを特徴とする。